(57)【特許請求の範囲】
【請求項１】
上下の横枠部材と、
金属製の左右の縦枠部材と、
横枠部材と縦枠部材とを連結する連結部材と、を有する遊技機用外枠であって、
連結部材は、
横枠部材の端部を挟み込む第１の挟持体と、
縦枠部材の端部を挟み込む第２の挟持体と、
縦枠部材の前領域の内面に接触する縦壁部と、を備えており、
第２の挟持体は、縦枠部材の前領域を除く領域を挟み込むように、片の奥側の辺に対し折り曲げられた脱落防止片から折り曲げられて形成された外片と、片の横側の辺に対し折り曲げられた第１の内片と、から構成されており、
縦壁部は、片の横側の辺に対し折り曲げられて形成されており、
縦枠部材には、その端部が第２の挟持体によって挟み込まれたとき、この挟み込んだ第２の挟持体と縦枠部材自身とが面一を成すように段差部が形成されており、
第１の内片の折り曲げ部位と、縦壁部の折り曲げ部位とは、段差部の段差長だけ位置ズレするように設定されている遊技機用外枠。
【請求項２】
請求項１に記載の遊技機用外枠であって、
連結部材は、その第１の挟持体が横枠部材の端部を挟み込んだとき、この挟み込んだ横枠部材が後側に脱落することを防止する脱落防止部を備えている遊技機用外枠。
【請求項３】
請求項１〜２のいずれかに記載の遊技機用外枠であって、
連結部材の第１の挟持体は、少なくとも一方の先端側がテーパを成すように形成されている遊技機用外枠。
【請求項４】
請求項１〜３のいずれかに記載の遊技機用外枠であって、
第１の挟持体および／または第２の挟持体は、横枠部材の端部および／または縦枠部材の端部を挟み込むと、この挟み込んだ横枠部材の端部および／または縦枠部材の端部が抜け難くなるように弾性作用を備えている遊技機用外枠。
【請求項５】
請求項４に記載の遊技機用外枠であって、
第１の挟持体には、横枠部材の端部を挟み込んだときの弾性作用を抑える切欠が形成されている遊技機用外枠。
【請求項６】
請求項１〜５のいずれかに記載の遊技機用外枠であって、
連結部材は、１枚の板部材を折り曲げることによって形成されている遊技機用外枠。
【発明の詳細な説明】
【技術分野】
【０００１】
本発明は、遊技機用外枠に関する。
【背景技術】
【０００２】
従来、パチンコ機等の遊技機の外枠は、上下に対向に配置される横枠部材と、左右に対向に配置される縦枠部材と、これら横枠部材の端部と縦枠部材の端部とを相互に連結する四隅（左上、右上、左下、右下）の連結部材とから、縦長の略矩形枠状に形成されている。
【０００３】
ここで、下記特許文献１には、連結部材が横枠部材の端部と縦枠部材の端部とを挿し込み可能に略Ｌ字を成す筒状の１部材から構成されている外枠が開示されている。このように１部材から構成されているため、連結部材が２部材から構成されている場合と比較すると、部品点数を削減できる。また、このように挿し込む構造であるため、この外枠を組み立てるとき、この連結部材に横枠部材の端と縦枠部材の端部とを仮留めできる。したがって、組み立ての作業性を高めることができる。
【０００４】
また、下記特許文献２には、連結部材が横枠部材の端部と縦枠部材の端部とを挟み込み可能に外側部材と内側部材との２部材（内側部材と外側部材）から構成されている外枠が開示されている。これにより、これら横枠部材と縦枠部材との連結の強度を高めることができる。
【先行技術文献】
【特許文献】
【０００５】
【特許文献１】特開２００２−１４３４８９号公報
【特許文献２】特開２０１１−１９３９０８号公報
【発明の概要】
【発明が解決しようとする課題】
【０００６】
しかしながら、上述した特許文献１の技術では、連結部材に横枠部材の端部と縦枠部材の端部とをそれぞれ挿し込む構造となっている。このように挿し込む構造となっていると、連結部材の内側部が遊技盤の盤面領域まで張り出すため、遊技盤の盤面領域を広く確保することができなかった。
【０００７】
一方、上述した特許文献２の技術も、上述した特許文献１の技術と同様に、連結部材の内側部材が遊技盤の盤面領域まで張り出すため、遊技盤の盤面領域を広く確保することができなかった。
【０００８】
本発明は、このような課題を解決しようとするもので、その目的は、横枠部材と縦枠部材との連結に必要な部品点数を削減でき、組み立てるときの作業性を高めることができ、横枠部材と縦枠部材との連結の強度を高めることができ、さらに、遊技盤の盤面領域を広く確保することができる遊技機用外枠を提供することである。
【課題を解決するための手段】
【０００９】
本発明は、上記の目的を達成するためのものであって、以下のように構成されている。
請求項１に記載の発明は、上下の横枠部材と、金属製の左右の縦枠部材と、横枠部材と縦枠部材とを連結する連結部材とを有する遊技機用外枠である。連結部材は、横枠部材の端部を挟み込む第１の挟持体と、縦枠部材の端部を挟み込む第２の挟持体と、縦枠部材の前領域の内面に接触する縦壁部とを備えている。第２の挟持体は、縦枠部材の前領域を除く領域を挟み込むように、片の奥側の辺に対し折り曲げられた脱落防止片から折り曲げられて形成された外片と、片の横側の辺に対し折り曲げられた第１の内片とから構成されている。縦壁部は、片の横側の辺に対し折り曲げられて形成されている。縦枠部材には、その端部が第２の挟持体によって挟み込まれたとき、この挟み込んだ第２の挟持体と縦枠部材自身とが面一を成すように段差部が形成されている。第１の内片の折り曲げ部位と、縦壁部の折り曲げ部位とは、段差部の段差長だけ位置ズレするように設定されている。
【００１０】
請求項１の発明によれば、第１の挟持体と第２の挟持体とが横枠部材の端部と縦枠部材の端部とを挟み込む構造となっているため、これら横枠部材と縦枠部材との連結の強度を高めることができる。また、縦枠部材の端部のうちの前領域を除く領域（例えば、後領域）のみが連結部材の第２の挟持体に挟み込まれている。そのため、この挟み込みが縦枠部材の端部のうちの前領域では行われていない。したがって、遊技盤の盤面領域を広く確保できる。また、連結部材は、１部材から構成されている。そのため、連結部材が２部材から構成されている場合と比較すると、横枠部材と縦枠部材との連結に必要な部品点数を削減できる。また、遊技機用外枠を組み立てるとき、連結部材に対して横枠部材の端部と縦枠部材の端部とを挟み込む構造であるため、この挟み込みにより仮留めできる。その後、例えば、ビスの羅合により横枠部材と縦枠部材との連結が完了する。このように仮留めできるため、ビスの留め作業を１度で済ますことができる。したがって、この組み立ての作業性を高めることができる。
【００１１】
また、請求項２に記載の発明は、請求項１に記載の遊技機用外枠であって、連結部材は、その第１の挟持体が横枠部材の端部を挟み込んだとき、この挟み込んだ横枠部材が後側に脱落することを防止する脱落防止部を備えている。
【００１２】
請求項２の発明によれば、横枠部材の端部を挟み込んだとき、連結部材に対する横枠部材の位置合わせを行うことができる。したがって、組み立てた遊技機用外枠の前基準に位置ズレが生じることを防止できる。また、このように脱落防止片が備えられていると、組み立てた遊技機用外枠の強度を高めることができる。
【００１５】
また、請求項３に記載の発明は、請求項１〜２のいずれかに記載の遊技機用外枠であって、連結部材の第１の挟持体は、少なくとも一方の先端側がテーパを成すように形成されている。
【００１６】
請求項３の発明によれば、連結部材の第１の挟持体に横枠部材の端部を挟み込むとき、この挟み込む端部を案内片が案内（ガイド）できる。したがって、横枠部材の端部の挟み込みの作業性を高めることができる。
【００１７】
また、請求項４に記載の発明は、請求項１〜３のいずれかに記載の遊技機用外枠であって、第１の挟持体および／または第２の挟持体は、横枠部材の端部および／または縦枠部材の端部を挟み込むと、この挟み込んだ横枠部材の端部および／または縦枠部材の端部が抜け難くなるように弾性作用を備えている。
【００１８】
請求項４の発明によれば、弾性作用が働くため、この挟み込んだ横枠部材の端部を抜け難くできる。また、これと同様に、弾性作用が働くため、この挟み込んだ縦枠部材の端部を抜け難くできる。
【００１９】
また、請求項５に記載の発明は、請求項４に記載の遊技機用外枠であって、第１の挟持体には、横枠部材の端部を挟み込んだときの弾性作用を抑える切欠が形成されている。
【００２０】
請求項５の発明によれば、連結部材の第１の挟持体を大きく（広く）確保しても、この第１の挟持体に作用する弾性作用を抑えることができる。したがって、横枠部材の端部の挟み込みをしっかりできつつ、この挟み込みを軽い操作荷重で行うことができる。
【００２３】
また、請求項６に記載の発明は、請求項１〜５のいずれかに記載の遊技機用外枠であって、連結部材は、１枚の板部材を折り曲げることによって形成されている。
【００２４】
請求項６の発明によれば、例えば、連結部材を素材から打ち抜いて製造する場合、この打ち抜きと折り曲げとを一連の工程で実施できる。したがって、連結部材を簡便に製造できる。
【図面の簡単な説明】
【００２５】
【図１】実施例に係るパチンコ機用外枠の斜視図である。
【図２】図１の分解図である。
【図３】図２の右上コーナの拡大図である。
【図４】図３の連結部材の展開図である。
【図５】図４の連結部材の折り曲げ後の斜視図である。
【図６】図５を後側から見た斜視図である。
【発明を実施するための形態】
【００２６】
以下、本発明を実施するための形態を、図１〜６を用いて説明する。なお、以下の説明にあたって、「遊技機」が「パチンコ機」である形態を説明する。まず、本発明の実施例に係るパチンコ機用外枠１を説明する。
【００２７】
パチンコ機用外枠１は、主として、上下に対向に配置される横枠部材２、２と、左右に対向に配置される縦枠部材３、３と、これら横枠部材２、２の端部と縦枠部材３、３の端部とを相互に連結する４個の連結部材４（左上の連結部材４ａ、右上の連結部材４ｂ、左下の連結部材４ｃ、右下の連結部材４ｄ）とから、縦長の略矩形枠状に形成されている（図１〜３参照）。以下に、これら横枠部材２、２と、縦枠部材３、３と、連結部材４（左上の連結部材４ａ、右上の連結部材４ｂ、左下の連結部材４ｃ、右下の連結部材４ｄ）とを個別に説明していく。
【００２８】
まず、横枠部材２から説明していく。この横枠部材２は、木製の矩形状の部材から構成されている。この横枠部材２の長手方向の端部（以下、単に「横枠部材２の端部」と記す）は、後述する連結部材４の上片１０と下片６０との間に挟み込み可能に形成されている。
【００２９】
また、この横枠部材２の端部には、後述する連結部材４の上片１０の３箇所のビス孔１０ａと下片６０の３箇所のビス孔６０ａとに対応するようにビス孔２ａが３箇所形成されている。なお、この横枠部材２の端部は、左右対称を成すように形成されている。また、この横枠部材２は、上述したように、上下に対向配置されている。そのため、この横枠部材２は、略上下対称を成すように形成されている。横枠部材２は、このように構成されている。
【００３０】
次に、縦枠部材３を説明していく。この縦枠部材３は、金属製（例えば、アルミ製）の矩形状の薄板部材から構成されている。この縦枠部材３の長手方向の端部（以下、単に「縦枠部材３の端部」と記す）は、後述する連結部材４の外片３０と第１の内片４０との間に挟みこみ可能に形成されている。また、この縦枠部材３の端部には、連結部材４の外片３０のビス孔３０ａと第１の内片４０のビス孔４０ａとに対応するようにビス孔３ａが形成されている。
【００３１】
また、この縦枠部材３の端部には、押し当てられた連結部材４の第２の内片５０のビス孔５０ａに対応するようにビス孔３ｂが形成されている。また、この縦枠部材３の後領域には、内側に向けて凹みを成す段差部３ｃが長手方向に沿って形成されている。これにより、外片３０と第１の内片４０とにより縦枠部材３の端部を挟み込んだとき、この挟み込んだ縦枠部材３と外片３０とが面一を成すこととなる。
【００３２】
また、この段差部３ｃの内側は、第１の内片４０が入り込み可能な略筒状に形成されている。これにより、この縦枠部材３そのものの強度を高めることができる。なお、この縦枠部材３の端部は、略上下対称を成すように形成されている。また、この縦枠部材３は、上述したように、左右に対向配置されている。そのため、この縦枠部材３は、略左右対称を成すように形成されている。縦枠部材３は、このように構成されている。
【００３３】
最後に、連結部材４（左上の連結部材４ａ、右上の連結部材４ｂ、左下の連結部材４ｃ、右下の連結部材４ｄ）を説明する。連結部材４は、上述したように、横枠部材２、２の端部と縦枠部材３、３の端部とを相互に連結する部材から構成されている。このように相互に連結する部材から構成されているため、左上の連結部材４ａは、右上の連結部材４ｂに対して、略左右対称に形成されている。
【００３４】
また、左下の連結部材４ｃは、右上の連結部材４ｂに対して、略左右対称および略上下対称に形成されている。また、右下の連結部材４ｄは、右上の連結部材４ｂに対して、略上下対称に形成されている。このように略対称に形成されているため、右上の連結部材４ｂを説明することで、残りの左上の連結部材４ａ、左下の連結部材４ｃおよび右下の連結部材４ｄの説明を省略することとする。
【００３５】
この右上の連結部材４ｂは、素材（図示しない）からワークＷを打ち抜き、この打ち抜いたワークＷを折り曲げることで形成されている。この打ち抜いたワークＷが、特許請求の範囲に記載の「１枚の板部材」に相当する。以下に、この打ち抜かれたワークＷと、その折り曲げの手順を個別に説明する。
【００３６】
まず、図４を参照して、打ち抜かれたワークＷから説明する。このワークＷは、略正方形状の上片１０と、この上片１０の上辺１２から延設された略Ｌ字状の脱落防止片２０と、この脱落防止片２０の右辺２２から延設された外片３０と、この上片１０の右辺１４の上側から延設された第１の内片４０と、この上片１０の右辺１４の下側から延設された第２の内片５０と、この第２の内片５０の右辺５２から延設された下片６０と、この下片６０の右辺６２から延設された案内片７０とから構成されている。
【００３７】
このとき、第２の内片５０と下片６０とには、これら第２の内片５０自身と下片６０自身とを跨ぐように切欠６４が打ち抜かれている。また、このとき、上片１０にはビス孔１０ａが３箇所打ち抜かれ、外片３０にもビス孔３０ａが打ち抜かれ、第１の内片４０にもビス孔４０ａが打ち抜かれ、第２の内片５０にもビス孔５０ａが打ち抜かれ、下片６０にもビス孔６０ａが３箇所打ち抜かれている。
【００３８】
次に、図４〜６を参照して、ワークＷの折り曲げの手順を説明する。まず、図４に示す状態から、下片６０に対して右辺６２を境に案内片７０を僅かに外向きに折り曲げる第１の作業を行う。ここで言う、僅かにとは、出来上がった右上の連結部材４ｂの上片１０と下片６０との間に横枠部材２の端部を挟み込むとき、この挟み込む端部が案内片７０によって案内（ガイド）される程度のことである。この案内片７０により下片６０の先端側がテーパを成すこととなる。
【００３９】
次に、上片１０に対して右辺１４を境に第１の内片４０を内向きに９０°折り曲げる第２の作業を行う。次に、脱落防止片２０に対して右辺２２を境に外片３０を内向きに９０°折り曲げる第３の作業を行う。次に、上片１０に対して右辺１４を境に第２の内片５０を内向きに９０°折り曲げる第４の作業を行う。
【００４０】
この第２の内片５０が、特許請求の範囲に記載の「縦壁部」に相当する。次に、第２の内片５０に対して右辺５２を境に下片６０を内向きに９０°折り曲げる第５の作業を行う。最後に、上片１０に対して上辺１２を境に脱落防止片２０を内向きに９０°折り曲げる第６の作業を行う（図５〜６参照）。この脱落防止片２０が、特許請求の範囲に記載の「脱落防止部」に相当する。
【００４１】
これら第４の作業と第５の作業とにより、上片１０と第２の内片５０と下片６０とが略コ字状を成すように形成されるため、上片１０と下片６０とが対向することとなる。そのため、これら上片１０と下片６０とにより横枠部材２の端部を挟み込むことができる。なお、これら上片１０と下片６０との距離は、挟み込む横枠部材２の端部の厚みより僅かに小さく設定されている。これにより、弾性作用が働くため、この挟み込んだ横枠部材２の端部を抜け難くできる。これら上片１０と下片６０とが、特許請求の範囲に記載の「第１の挟持体」に相当する。
【００４２】
また、これら第２の作業と第３の作業と第６の作業とにより、外片３０と脱落防止片２０と第１の内片４０とが略コ字状を成すように形成されるため、外片３０と第１の内片４０とが対向することとなる。そのため、これら外片３０と第１の内片４０とにより縦枠部材３の端部を挟み込むことができる。
【００４３】
なお、これら外片３０と第１の内片４０との距離は、挟み込む縦枠部材３の端部の厚みより僅かに小さく設定されている。これにより、弾性作用が働くため、この挟み込んだ縦枠部材３の端部を抜け難くできる。これら外片３０と第１の内片４０とが、特許請求の範囲に記載の「第２の挟持体」に相当する。連結部材４（左上の連結部材４ａ、右上の連結部材４ｂ、左下の連結部材４ｃ、右下の連結部材４ｄ）は、打ち抜いたワークＷを折り曲げることによって構成されている。
【００４４】
続いて、上述した横枠部材２、２と縦枠部材３、３と４個の連結部材４（左上の連結部材４ａ、右上の連結部材４ｂ、左下の連結部材４ｃ、右下の連結部材４ｄ）とからパチンコ機用外枠１を組み立てる手順を説明する。
【００４５】
まず、図３に示すように、右上の連結部材４ｂの上片１０と下片６０との間に横枠部材２の端部を挟み込む作業を行う。これにより、右上の連結部材４ｂに対して横枠部材２の端部を仮留めできる。このとき、既に説明したように、弾性作用が働くため、この仮留めを強固にできる。また、このとき、挟み込んだ横枠部材２の端部の後側が右上の連結部材４ｂの脱落防止片２０の内面に接触する格好となっている。
【００４６】
次に、右上の連結部材４ｂの外片３０と第１の内片４０との間に縦枠部材３の端部を挟み込む作業を行う。これにより、右上の連結部材４ｂに対して縦枠部材３の端部を仮留めできる。このとき、既に説明したように、弾性作用が働くため、この仮留めを強固にできる。なお、このとき、右上の連結部材４ｂの第２の内片５０は、縦枠部材３の端部の前領域の内面に接触する格好となっている。
【００４７】
次に、３本のビスＢ１を上片１０の３箇所のビス孔１０ａに挿し込み、この挿し込んだ３本のビスＢ１を横枠部材２の端部の３箇所のビス孔２ａと下片６０の３箇所のビス孔６０ａとに螺合させる作業を行う。次に、ビスＢ２を外片３０のビス孔３０ａに挿し込み、この挿し込んだビスＢ２を縦枠部材３の端部のビス孔３ａと第１の内片４０のビス孔４０ａとに螺合させる作業を行う。
【００４８】
次に、ビスＢ３を縦枠部材３の端部のビス孔３ｂに挿し込み、この挿し込んだビスＢ３を第２の内片５０のビス孔５０ａに螺合させる作業を行う。これらの作業が完了すると、右上の連結部材４ｂを介して、横枠部材２と縦枠部材３との連結が完了する。すなわち、パチンコ機用外枠１の右上コーナの組み立てが完了する。
【００４９】
次に、これと同じ作業を、残りの３つのコーナ（左上コーナ、左下コーナ、右下コーナ）でも行う（図２参照）。次に、左右の縦枠部材３、３の前側の下端を橋渡すように、下の横枠部材２に２本のビスＢ４を介して幕板カバー５を組み付ける作業を行う。次に、左右の縦枠部材３、３の後側の下端を橋渡すように、この左右の縦枠部材３、３に２本のビスＢ５を介して幕板６を組み付ける作業を行う。
【００５０】
最後に、下の横枠部材２と左の縦枠部材３とに３本のビスＢ６を介してヒンジブラケット８０を組み付ける作業を行う。パチンコ機用外枠１は、このようにして組み立てられる。
【００５１】
本発明の実施例に係るパチンコ機用外枠１は、上述したように構成されている。この構成によれば、右上の連結部材４ｂには、上片１０と下片６０とが対向するように、上片１０と第２の内片５０と下片６０とが略コ字状を成すように形成されている。また、右上の連結部材４ｂには、外片３０と第１の内片４０とが対向するように、外片３０と脱落防止片２０と第１の内片４０とが略コ字状を成すように形成されている。そして、この右上の連結部材４ｂの上片１０と下片６０との間には、横枠部材２の端部が挟み込まれている。また、右上の連結部材４ｂの外片３０と第１の内片４０との間には、縦枠部材３の端部が挟み込まれている。このとき、縦枠部材３の端部のうち、後領域の端部のみが右上の連結部材４ｂの外片３０と第１の内片４０との間に挟み込まれている。
【００５２】
このように挟み込む構造となっているため、これら横枠部材２と縦枠部材３との連結の強度を高めることができる。また、縦枠部材３の端部のうちの後領域のみが右上の連結部材４ｂの外片３０と第１の内片４０との間に挟み込まれている。そのため、この挟み込みが縦枠部材３の端部のうちの前領域では行われていない。したがって、遊技盤の盤面領域を広く確保できる。また、右上の連結部材４ｂは、１部材から構成されている。そのため、連結部材が２部材から構成されている場合と比較すると、横枠部材２と縦枠部材３との連結に必要な部品点数を削減できる。また、パチンコ機用外枠１を組み立てるとき、右上の連結部材４ｂに対して横枠部材２の端部と縦枠部材３の端部とを挟み込む構造であるため、この挟み込みにより仮留めできる。その後、ビスＢ１、Ｂ２、Ｂ３の羅合により横枠部材２と縦枠部材３との連結が完了する。このように仮留めできるため、ビスＢ１、Ｂ２、Ｂ３の留め作業を１度で済ますことができる。したがって、この組み立ての作業性を高めることができる。
【００５３】
また、この構成によれば、右上の連結部材４ｂには、脱落防止片２０が備えられている。この脱落防止片２０は、右上の連結部材４ｂの上片１０と下片６０との間に挟み込んだ横枠部材２の端部の後側が内面に接触する格好となっている。そのため、この横枠部材２の端部を挟み込んだとき、右上の連結部材４ｂに対する横枠部材２の位置合わせを行うことができる。したがって、組み立てたパチンコ機用外枠１の前基準に位置ズレが生じることを防止できる。また、このように脱落防止片２０が備えられていると、組み立てたパチンコ機用外枠１の強度を高めることができる。
【００５４】
また、この構成によれば、右上の連結部材４ｂには、第２の内片５０が備えられている。この第２の内片５０は、右上の連結部材４ｂの外片３０と第１の内４０との間に挟み込んだ縦枠部材３の端部の前領域が内面に接触する格好となっている。そのため、横枠部材２と縦枠部材３との連結が完了したとき、この連結の強度を高めることができる。
【００５５】
また、この構成によれば、下片６０の先端側は、案内片７０によりテーパを成している。そのため、右上の連結部材４ｂの上片１０と下片６０との間に横枠部材２の端部を挟み込むとき、この挟み込む端部を案内片７０が案内（ガイド）できる。したがって、横枠部材２の端部の挟み込みの作業性を高めることができる。
【００５６】
また、この構成によれば、右上の連結部材４ｂの上片１０と下片６０との距離は、挟み込む横枠部材２の端部の厚みより僅かに小さく設定されている。これにより、弾性作用が働くため、この挟み込んだ横枠部材２の端部を抜け難くできる。また、これと同様に、右上の連結部材４ｂの外片３０と第１の内片４０との距離は、挟み込む縦枠部材３の端部の厚みより僅かに小さく設定されている。これにより、弾性作用が働くため、この挟み込んだ縦枠部材３の端部を抜け難くできる。
【００５７】
また、この構成によれば、右上の連結部材４ｂの第２の内片５０と下片６０とには、これら第２の内片５０自身と下片６０自身とを跨ぐように切欠６４が形成されている。そのため、この右上の連結部材４ｂの上片１０と下片６０とを大きく（広く）確保しても、これら上片１０と下片６０に作用する弾性作用を抑えることができる。したがって、横枠部材２の端部の挟み込みをしっかりできつつ、この挟み込みを軽い操作荷重で行うことができる。
【００５８】
また、この構成によれば、縦枠部材３の後領域には、内側に向けて凹みを成す段差部３ｃが長手方向に沿って形成されている。そのため、右上の連結部材４ｂの外片３０と第１の内片４０とにより縦枠部材３の端部を挟み込んだとき、この挟み込んだ縦枠部材３と外片３０とを面一にできる。したがって、外片３０に対して面一になるまで縦枠部材３を外側（左右方向）に張り出させることができるため、遊技盤の盤面領域をより広く確保できる。また、このように面一にできると、組み立てたパチンコ機用外枠１の見栄えを高めることができる。
【００５９】
また、この構成によれば、右上の連結部材４ｂは、打ち抜いたワークＷを折り曲げることによって構成されている。そのため、この打ち抜きと折り曲げとを一連の工程で実施できるため、この右上の連結部材４ｂを簡便に製造できる。
【００６０】
上述した内容は、あくまでも本発明の一実施の形態に関するものであって、本発明が上記内容に限定されることを意味するものではない。
【００６１】
実施例では、「遊技機」が「パチンコ機」である形態を説明した。しかし、これに限定されるものでなく、「遊技機」が「スロットマシーン等」であっても構わない。
【００６２】
また、実施例では、ワークＷを折り曲げる手順において、案内片７０、第１の内片４０、外片３０、第２の内片５０、下片６０、脱落防止片２０、の順に折り曲げる形態を説明した。しかし、これに限定されるものでなく、案内片７０、外片３０、第１の内片４０、下片６０、第２の内片５０、脱落防止片２０、の順であっても構わない。
【００６３】
また、実施例では、縦枠部材３の端部のうち、後領域の端部のみが右上の連結部材４ｂの外片３０と第１の内片４０との間に挟み込まれている形態を説明した。しかし、これに限定されるものでなく、縦枠部材３の端部のうち、中領域（前後の真ん中の領域）の端部のみが右上の連結部材４ｂの外片３０と第１の内片４０との間に挟み込まれている形態でも構わない。もちろん、中領域と後領域の端部のみが右上の連結部材４ｂの外片３０と第１の内片４０との間に挟み込まれている形態でも構わない。
【００６４】
また、実施例では、４つのコーナ（左上コーナ、右上コーナ、左下コーナ、右下コーナ）を個別に組み立ててパチンコ機用外枠１を組み立てる形態を説明した。しかし、これに限定されるものでなく、連結部材４（左上の連結部材４ａ、右上の連結部材４ｂ、左下の連結部材４ｃ、右下の連結部材４ｄ）に対して縦枠部材３、３の端部を仮留めした後に、ビスＢ２、Ｂ３を螺合させる作業を行い、その後、連結部材４（左上の連結部材４ａ、右上の連結部材４ｂ、左下の連結部材４ｃ、右下の連結部材４ｄ）に対して横枠部材２、２の端部を仮留めした後に、ビスＢ１を螺合させる作業を行ってパチンコ機用外枠１を組み立てる形態でも構わない。もちろん、縦枠部材３、３と横枠部材２、２との順番が逆の形態でも構わない。また、もちろん、縦枠部材３、３と横枠部材２、２との順番が同時の形態でも構わない。
【００６５】
また、実施例では、上片１０と下片６０との距離は、挟み込む横枠部材２の端部の厚みより僅かに小さく設定されている形態を説明した。しかし、これに限定されるものでなく、上片１０と下片６０との距離は、挟み込む横枠部材２の端部の厚みより僅かに大きくまたは同じに設定されている形態でも構わない。その場合、実施例で説明したように弾性作用が働かないため、横枠部材２の端部の挟み込みの作業性を高めることができる。
【００６６】
また、実施例では、外片３０と第１の内片４０との距離は、挟み込む縦枠部材３の端部の厚みより僅かに小さく設定されている形態を説明した。しかし、これに限定されるものでなく、外片３０と第１の内片４０との距離は、挟み込む縦枠部材３の端部の厚みより僅かに大きくまたは同じに設定されている形態でも構わない。その場合、実施例で説明したように弾性作用が働かないため、縦枠部材３の端部の挟み込みの作業性を高めることができる。
【符号の説明】
【００６７】
１      パチンコ機用外枠（遊技機用外枠）
２      横枠部材
３      縦枠部材
４      連結部材
１０    上片（第１の挟持体）
３０    外片（第２の挟持体）
４０    第１の内片（第２の挟持体）
６０    下片（第１の挟持体）
【図１】
0006359356.tif 000002
【図２】
0006359356.tif 000003
【図３】
0006359356.tif 000004
【図４】
0006359356.tif 000005
【図５】
0006359356.tif 000006
【図６】
0006359356.tif 000007